(57)【要約】【課題】、映像機器が容易に入力画像を復元することができる技術が求められていた。【解決手段】本開示によれば、入力画像を分割することで、複数の分割画像を生成し、分割画像を含む出力画像を生成する画像処理部と、出力画像を、分割画像の合成により入力画像を復元可能な他の画像処理装置に出力する通信部と、を備える、画像処理装置が提供される。【選択図】図１
2014041455.tif 000002
【特許請求の範囲】
【請求項１】
入力画像を分割することで、複数の分割画像を生成し、前記分割画像を含む出力画像を生成する画像処理部と、
前記出力画像を、前記分割画像の合成により前記入力画像を復元可能な他の画像処理装置に出力する通信部と、を備える、画像処理装置。
【請求項２】
前記画像処理部は、前記入力画像がエンコードされたエンコード情報をデコードすることで、前記入力画像を復元する、請求項１記載の画像処理装置。
【請求項３】
前記画像処理部は、前記他の画像処理装置から前記分割画像の合成に対応可能である旨の合成可能情報を受信した場合に、前記分割画像を生成する、請求項１記載の画像処理装置。
【請求項４】
前記画像処理部は、前記他の画像処理装置から前記合成可能情報を取得できない場合には、前記分割画像の生成を開始するために必要なトリガ操作が記述された説明画像を分割することで、説明用分割画像を生成し、前記出力画像に前記説明用分割画像を含める、請求項３記載の画像処理装置。
【請求項５】
前記通信部は、前記出力画像を前記他の画像処理装置に出力する前に、前記他の画像処理装置への情報の出力を停止する、請求項１記載の画像処理装置。
【請求項６】
前記通信部は、前記他の画像処理装置への信号の出力を停止した後、前記出力画像の出力を開始する旨の出力開始情報を前記他の画像処理装置に出力する、請求項５記載の画像処理装置。
【請求項７】
前記画像処理部は、前記出力画像に関する付加制御情報を前記出力画像に付与する、請求項１記載の画像処理装置。
【請求項８】
前記画像処理部は、前記他の画像処理装置による出力対象ではない無効画像を前記出力画像に含める一方、前記出力画像が前記無効画像を含む旨の情報を前記付加制御情報に含める、請求項７記載の画像処理装置。
【請求項９】
前記画像処理部は、前記他の画像処理装置が前記分割画像の合成に非対応であることを示す情報を前記無効画像に含める、請求項８記載の画像処理装置。
【請求項１０】
前記画像処理部は、前記入力画像に対応するメモリ領域を確保し、前記メモリ領域に前記入力画像を貼り付けることで、元画像を生成し、前記元画像を分割することで、前記分割画像を生成する一方、前記元画像中の前記入力画像の位置、及び前記入力画像のサイズを示す情報を前記付加制御情報に含める、請求項７記載の画像処理装置。
【請求項１１】
前記出力画像は、他の機器による情報の重畳が可能であり、
前記画像処理部は、他の機器が情報を重畳する位置と異なる位置に前記付加制御情報を重畳する、請求項７記載の画像処理装置。
【請求項１２】
入力画像を分割することで、複数の分割画像を生成し、前記分割画像を含み、かつ、第１の解像度を有する出力画像を生成する他の画像処理装置から前記出力画像を取得する通信部と、
前記出力画像から前記分割画像を抽出し、前記分割画像を合成することで前記入力画像を復元する画像処理部と、を備える、画像処理装置。
【請求項１３】
前記通信部は、前記分割画像の合成に対応可能である旨の合成可能情報を前記他の画像処理装置に出力する、請求項１２記載の画像処理装置。
【請求項１４】
前記他の画像処理装置は、前記分割画像の生成を開始するために必要なトリガ操作が記述された説明画像を分割することで、説明用分割画像を生成し、前記出力画像に前記説明用分割画像を含め、
前記画像処理部は、前記出力画像から前記説明用分割画像を抽出し、前記説明用分割画像を合成することで、前記説明画像を復元する、請求項１２記載の画像処理装置。
【請求項１５】
前記他の情報処理装置は、前記出力画像を前記通信部に出力する前に、前記通信部への情報の出力を停止し、ついで、前記出力画像の出力を開始する旨の出力開始情報を前記通信部に出力し、
前記画像処理部は、前記通信部への情報の出力が停止された場合には、当該停止後に出力された前記出力開始情報の内容を確認する、請求項１２記載の画像処理装置。
【請求項１６】
前記他の画像処理装置は、前記出力画像に関する付加制御情報を前記出力画像に付与し、
前記画像処理部は、前記付加制御情報に基づく処理を行う、請求項１２記載の画像処理装置。
【請求項１７】
入力画像を分割することで、複数の分割画像を生成し、前記分割画像を含む出力画像を生成することと、
前記出力画像を、前記分割画像の合成により前記入力画像を復元可能な他の画像処理装置に出力することと、を含む、画像処理方法。
【請求項１８】
入力画像を分割することで、複数の分割画像を生成し、前記分割画像を含む出力画像を生成する他の画像処理装置から前記出力画像を取得することと、
前記出力画像から前記分割画像を抽出し、前記分割画像を合成することで前記入力画像を復元することと、を含む、画像処理方法。
【請求項１９】
コンピュータに、
入力画像を分割することで、複数の分割画像を生成し、前記分割画像を含む出力画像を生成する画像処理機能と、
前記出力画像を、前記分割画像の合成により前記入力画像を復元可能な他の画像処理装置に出力する通信機能と、を実現させる、プログラム。
【請求項２０】
コンピュータに、
入力画像を分割することで、複数の分割画像を生成し、前記分割画像を含む出力画像を生成する他の画像処理装置から前記出力画像を取得する通信機能と、
前記出力画像から前記分割画像を抽出し、前記分割画像を合成することで前記入力画像を復元する画像処理機能と、を実現させる、プログラム。
【発明の詳細な説明】
【技術分野】
【０００１】
本開示は、画像処理装置、画像処理方法、及びプログラムに関する。
【背景技術】
【０００２】
特許文献１〜３は、入力画像を分割することで分割画像を生成し、分割画像をエンコードすることでエンコード情報を生成し、エンコード情報を映像機器に出力する技術を開示する。映像機器は、エンコード情報をデコードすることで分割画像を復元し、分割画像を合成することで入力画像を復元する。また、特許文献４は、所定の位置が高解像度とされた入力画像をエンコードして映像機器に出力する技術を開示する。映像機器は、エンコードされた入力画像をデコードすることで、入力画像を復元する。
【先行技術文献】
【特許文献】
【０００３】
【特許文献１】特開２００４−１２０４９９号公報
【特許文献２】特開２０１１−１８１９８０号公報
【特許文献３】特開平１０−２３４０４３号公報
【特許文献４】特開平９−６５１１１号公報
【発明の概要】
【発明が解決しようとする課題】
【０００４】
したがって、映像機器は、入力画像を復元するために、エンコード情報をデコードする必要があった。このため、映像機器が入力画像を復元するのに非常に手間がかかっていた。そこで、映像機器が容易に入力画像を復元することができる技術が求められていた。
【課題を解決するための手段】
【０００５】
本開示によれば、入力画像を分割することで、複数の分割画像を生成し、分割画像を含む出力画像を生成する画像処理部と、出力画像を、分割画像の合成により入力画像を復元可能な他の画像処理装置に出力する通信部と、を備える、画像処理装置が提供される。
【０００６】
本開示によれば、入力画像を分割することで、複数の分割画像を生成し、分割画像を含み、かつ、第１の解像度を有する出力画像を生成する他の画像処理装置から出力画像を取得する通信部と、出力画像から分割画像を抽出し、分割画像を合成することで入力画像を復元する画像処理部と、を備える、画像処理装置が提供される。
【０００７】
本開示によれば、入力画像を分割することで、複数の分割画像を生成し、分割画像を含む出力画像を生成することと、出力画像を、分割画像の合成により入力画像を復元可能な他の画像処理装置に出力することと、を含む、画像処理方法が提供される。
【０００８】
本開示によれば、入力画像を分割することで、複数の分割画像を生成し、分割画像を含む出力画像を生成する他の画像処理装置から出力画像を取得することと、出力画像から分割画像を抽出し、分割画像を合成することで入力画像を復元することと、を含む、画像処理方法が提供される。
【０００９】
本開示によれば、コンピュータに、入力画像を分割することで、複数の分割画像を生成し、分割画像を含む出力画像を生成する画像処理機能と、出力画像を、入力画像を復元可能な他の画像処理装置に出力する通信機能と、を実現させる、プログラムが提供される。
【００１０】
本開示によれば、コンピュータに、入力画像を分割することで、複数の分割画像を生成し、分割画像を含む出力画像を生成する他の画像処理装置から出力画像を取得する通信機能と、出力画像から分割画像を抽出し、分割画像を合成することで入力画像を復元する画像処理機能と、を実現させる、プログラムが提供される。
【００１１】
本開示によれば、分割画像を含む出力画像を受信した画像処理装置は、分割画像を合成することで入力画像を復元することができる。
【発明の効果】
【００１２】
以上説明したように本開示によれば、分割画像を含む出力画像を受信した画像処理装置は、分割画像をデコードすることなく、分割画像を合成することができる。したがって、画像処理装置は、容易に入力画像を復元することができる。
【図面の簡単な説明】
【００１３】
【図１】本開示の実施形態に係る画像処理システムの構成を示すブロック図である。
【図２】４Ｋ元画像及び縮小画像の一例を示す説明図である。
【図３】４Ｋ元画像の分割例を示す説明図である。
【図４】付加制御情報の重畳位置の一例を示す説明図である。
【図５】第１付加制御情報の一例を示す説明図である。
【図６】第２付加制御情報の一例を示す説明図である。
【図７】第２付加制御情報が示す情報の内容を説明するための説明図である。
【図８】説明画像、及び説明用分割画像の一例を示す説明図である。
【図９】ブランク画像の一例を示す説明図である。
【図１０】説明画像の表示例を示す説明図である。
【図１１】ブランク画像の表示例を示す説明図である。
【図１２】４Ｋ復元画像の生成例を示す説明図である。
【図１３】画像処理システムによる処理の概要を示すタイミングチャートである。
【図１４】画像処理システムによる処理の概要を示すタイミングチャートである。
【図１５】画像処理システムによる処理の概要を示すタイミングチャートである。
【図１６】写真１及び写真２に対応する第１付加制御情報の例を示す説明図である。
【図１７】情報処理装置及び映像機器による処理の手順を示すシーケンス図である。
【図１８】情報処理装置及び映像機器による処理の手順を示すシーケンス図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．背景技術の検討
２．全体構成
３．画像処理装置の構成
３−１．４Ｋ元画像及び縮小画像の生成
３−２．分割画像の生成
３−３．付加制御情報（付加制御信号）の重畳位置及び構成
３−４．認証処理（認証テスト）
３−５．ＳＰＤ  Ｉｎｆｏｆｒａｍｅに関する処理
４．映像機器の構成
５．画像処理システムによる処理の概要
６．画像処理システムによる処理
【００１６】
＜１．背景技術の検討＞
本発明者は、本実施形態の背景技術について検討することで、本実施形態に係る画像処理システム（図１参照）に想到するに至った。そこで、まず、本発明者が検討した背景技術について説明する。
【００１７】
高解像度、特に４Ｋ（３８４０×２１６０画素）対応の映像機器が提案されている。具体的には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）１．４ａまたは独自のインターフェースを介して４Ｋ画像を取得し、表示する映像機器が提案されている。しかし、この映像機器が表示可能な４Ｋ画像は、上記のインターフェースを介して映像機器が取得した画像、及び４Ｋ解像度向けにデコード、スケーリングされた静止画像（例えばＪＰＥＧ画像）に限られていた。
【００１８】
一方、デコーダを内蔵した映像機器も提案されている。この映像機器は、エンコード情報（４Ｋ画像がエンコードされた情報）を通信ネットワークから取得し、エンコード情報を映像機器内でデコードすることで４Ｋ画像を復元し、表示する。
【００１９】
このように、上記の映像機器では、表示対象となる画像が非常に限られていた。また、後者の映像機器（デコーダを内蔵した映像機器）は、４Ｋ画像を復元するために、エンコード情報をデコードする必要があった。４Ｋ画像は非常に情報量が大きいので、エンコード情報も非常に情報量が大きい。このため、後者の映像機器は、４Ｋ画像を復元するのに非常に手間がかかっていた。また、映像機器用のデコーダを開発するためには、膨大な開発費が必要であった。
【００２０】
一方、特許文献１〜３は、入力画像を分割することで分割画像を生成し、分割画像をエンコードすることでエンコード情報を生成し、エンコード情報を映像機器に出力する技術を開示する。映像機器は、エンコード情報をデコードすることで分割画像を復元し、分割画像を合成することで入力画像を復元する。
【００２１】
また、特許文献４は、所定の位置が高解像度とされた入力画像をエンコードして映像機器に出力する技術を開示する。映像機器は、エンコードされた入力画像をデコードすることで、入力画像を復元する。しかし、特許文献１〜４に開示された技術においても、映像機器はデコーダを必要としていた。このため、これらの技術に４Ｋ画像を適用しても、映像機器はやはり４Ｋ画像を復元するのに非常に手間がかかる。
【００２２】
一方、一部のゲーム機等のように、２Ｋ画像（１９２０×１０８０画素の画像）の出力に対応しており、かつ、高性能のデコーダを有する画像処理装置が提案されている。画像処理装置に内蔵されるデコーダは、ＪＰＥＧ等に代表される静止画像等を映像機器のデコーダよりも高速にデコードすることができる。さらに、画像処理装置は、例えばコントローラを用いた入力操作に対応したユーザインタフェースを有しているため、ユーザインタフェースも洗練されている。なお、このようなユーザインタフェースを映像機器に備えさせるには、やはり膨大な開発費が必要となる。
【００２３】
本発明者は、上記の各映像機器及び画像処理装置について鋭意検討し、本実施形態に係る画像処理システムに想到するに至った。以下、画像処理システムの構成について詳細に説明する。なお、本実施形態では、４Ｋを３８４０×２１６０画素とし、２Ｋを１９２０×１０８０画素とするが、他の大きさとしてもよい。例えば、４Ｋは、４０９６×２１６０画素であってもよい。
【００２４】
＜２．全体構成＞
まず、図１に基づいて、画像処理システムの全体構成について説明する。画像処理システムは、画像処理装置１０と、映像機器（画像処理装置）２０と、ＨＤＭＩケーブル３０とを備える。すなわち、画像処理システムは、ＨＤＭＩ−ＣＥＣ及び通信ネットワーク等の通信機能は有しない。もちろん、画像処理システムは、これらの通信機能を有していても良い。
【００２５】
画像処理装置１０は、概略的には、以下の処理を行う。
（１）ＳＰＤ  Ｉｎｆｏｆｒａｍｅを特定のタイミング（例えば、分割画像の出力前）に特定の値に変更する。ここで、ＳＰＤ  Ｉｎｆｏｆｒａｍｅは、画像処理装置１０を特定するための情報（機器名称等）を含み、映像機器２０に出力される。
（２）ＳＰＤ  Ｉｎｆｏｆｒａｍｅを変化させる前に、ＨＤＭＩ  ＴＭＤＳ信号（以下、単に「ＴＭＤＳ信号」とも称する）の出力を一時停止する。
（３）映像機器２０からＥＤＩＤ情報を読み出し、それに基づく処理を行う。ここで、ＥＤＩＤ情報は、映像機器２０の特性に関する情報であり、本実施形態では、分割画像の合成が可能か否かを示す情報を含む。
（４）内部メモリ（ＲＡＭ等）に４Ｋ解像度（３８４０×２１６０）分の領域を確保し、このメモリ領域にＪＰＥＧ等の静止画像を貼り付けることで、４Ｋ解像度を有する静止画像（４Ｋ元画像）を生成する。
（５）内部メモリに展開した４Ｋ元画像を１２分割することで、分割画像を生成する。
（６）分割画像を２Ｖずつ出力する。ここで、１Ｖは、１フレームの画像が出力される時間であり、例えば画像処理装置１０が６０Ｈｚのフレームレートを有する場合、１Ｖ＝１６．６ｍｓとなる。
（７）各分割画像に付加制御情報を重畳（付加）する。
（８）分割画像を映像機器２０に出力する前に、４Ｋ元画像を２Ｋ解像度（１９２０×１０８０）の縮小画像（１枚画）に縮小し、この縮小画像を出力画像として１２Ｖ以上出力する。
（９）映像機器２０から出力されたＥＤＩＤ情報を読み取れなかった場合等に、分割画像の生成を開始するために必要なトリガ操作が記述された説明画像を分割することで分割画像を生成し、分割画像を映像機器２０に出力する。
（１０）分割画像を繰り返し出力する。
ここで、（８）以降の処理は任意の処理である。すなわち、画像処理装置１０は、（８）以降の処理は行わなくてもよい。
【００２６】
一方、映像機器２０は、概略的には以下の処理を行う。
（１）ＴＭＤＳ信号の受信が一時停止し、その後再開された場合に、ＳＰＤ  Ｉｎｆｏｆｒａｍｅの変化を検出する。
（２）ＥＤＩＤ情報に、映像機器２０が分割画像の合成に対応していることを示す合成可能情報を含める。
（３）付加制御情報をデコードする。
（４）２Ｖずつ出力される出力画像（分割画像）を所定のタイミング（例えば１Ｖおき）に取込み、４Ｋ元画像を復元する。
（５）付加制御情報中に４Ｋ元画像が３Ｄ画像である旨の情報が含まれる場合、最低でも左目用画像を４Ｋ元画像として復元し、２Ｄ画像として出力する。
（６）分割画像の取込み中に、別の４Ｋ静止画像に対応する分割画像の受信を開始した場合には、当該分割画像の取込みに追従する。
（７）付加制御情報に、出力画像がブランク画像である旨の情報が含まれる場合には、その出力画像を表示しない。
（８）付加制御情報に、出力画像が縮小画像である旨の情報が含まれる場合には、出力画像から顔画像を検出し、顔画像に含まれる色については超解像処理を弱める。すなわち、美肌補正を行う。
（９）付加制御情報に、４Ｋ元画像が３Ｄ画像である旨の情報が含まれる場合には、左目用画像の合成と、右目用画像の合成とをそれぞれ順番に行ない、これらの画像を３Ｄ静止画像として表示（出力）する。すなわち、これらの画像に視差をつけて出力する。
ここで、（８）以降の処理は任意の処理である。すなわち、映像機器２０は、（８）以降の処理は行わなくてもよい。
【００２７】
＜３．画像処理装置の構成＞
次に、画像処理装置１０の構成について説明する。画像処理装置１０は、画像取得部１１と、画像処理部１２と、通信部１３とを備える。なお、画像処理装置１０は、例えばゲーム機であり、ＣＰＵ、ＲＯＭ、ＲＡＭ、ハードディスク、コントローラ、通信装置等のハードウェア構成を有する。ＲＯＭには、画像処理装置１０に、画像取得部１１と、画像処理部１２と、通信部１３とを実現させるためのプログラムが記録されている。ＣＰＵは、ＲＯＭに記録されたプログラムを読みだして実行する。したがって、これらのハードウェア構成により、画像取得部１１と、画像処理部１２と、通信部１３とが実現される。また、ＲＯＭには、写真再生アプリケーションに関するプログラムも記録されている。ハードディスクには、各種の画像（例えば写真再生アプリケーションで再生される写真画像）がエンコードされた状態で記録されている。これらの写真画像の大きさは様々であり、例えば４Ｋであってもよいが、他のサイズ、例えば２Ｋであってもよい。
【００２８】
画像取得部１１は、映像機器２０による表示対象となる入力画像（例えば静止画像）を取得する。具体的には、画像取得部１１は、入力画像がエンコードされたエンコード情報を取得し、画像処理部１２に出力する。画像取得部１１は、エンコード情報を上述したハードディスクから取得しても良いし、ネットワーク上から取得してもよい。入力画像のサイズは様々であり、例えば４Ｋであってもよいが、２Ｋであってもよい。
【００２９】
画像処理部１２は、主に、４Ｋ元画像及び縮小画像の生成、分割画像の生成、付加制御情報の重畳、及び認証処理（認証テスト）を行う。そこで、これらの処理について説明する。
【００３０】
（３−１．４Ｋ元画像及び縮小画像の生成）
まず、図２に基づいて、４Ｋ元画像及び縮小画像の生成について説明する。画像処理部１２は、まず、エンコード情報をデコードすることで、入力画像１００ａを復元し、入力画像１００ａのスケーリングを行う。一方、画像処理部１２は、４Ｋ解像度分のメモリ領域を確保する。ここで、当該メモリ領域は、例えばＹＵＶ４４４フォーマット換算では（１画素あたり２４ｂｉｔなので）合計約２３．７ＭＢ程度となる。
【００３１】
そして、画像処理部１２は、入力画像１００ａを当該メモリ領域中の任意の領域に貼り付けることで、４Ｋ元画像１００を生成する。ここで、メモリ領域のうち、入力画像１００ａが貼り付けられなかった領域は、余白画像１００ｂとされる。余白画像１００ｂの色は例えば黒となる。なお、４Ｋ元画像の色フォーマットは、特に限定されないが、例えばＲＧＢ、ＹＣｂＣｒ４４４、ＹＣｂＣｒ４２２、ＹＵＶとなる。また、４Ｋ元画像１００を構成する各画素にはｘｙ座標が設定されている（図７参照）。左上端部の画素の座標は（０，０）となり、右下端部の画素の座標は（３８３９，２１５９）となる。以下、４Ｋ元画像１００に設定されているｘｙ座標を元画像座標とも称する。
【００３２】
そして、画像処理部１２は、４Ｋ元画像を２Ｋに縮小することで、縮小画像２００を生成する。さらに、画像処理部１２は、縮小画像２００を出力画像とし、出力画像中の所定の位置に付加制御情報３００を重畳（付加）する。付加制御情報３００については後述する。画像処理部１２は、出力画像を通信部１３に出力する。通信部１３は、後述する分割画像を出力する前に、縮小画像２００を例えば１２Ｖ出力する。
【００３３】
（３−２．分割画像の生成）
次に、図３にもとづいて、分割画像の生成について説明する。画像処理部１２は、４Ｋ元画像１００を１２分割することで、分割画像４０１ａ〜４１２ａを生成する。ここで、画像処理部１２は、分割画像４０１ａ〜４１２ａ同士が一部重なるように、４Ｋ元画像１００を分割する。具体的には、画像処理部１２は、分割画像４０１ａ〜４１２ａの切出開始位置及び切出サイズを表１のように設定する。ここで、切出開始位置は、分割画像４０１ａ〜４１２ａの左上端部を構成する画素の元画像座標であり、切出サイズは、分割画像４０１ａ〜４１２ａのサイズであり、単位は画素（ピクセル）である。
【００３４】
【表１】
2014041455.tif 000003
【００３５】
なお、表１に示すように、分割画像４０４ａ、４０８ａ、４１２ａだけはサイズが異なるが、これは映像機器２０のハードウェア仕様によるものである。したがって、映像機器２０の仕様によっては、全分割画像を同じサイズとしてもよい。また、分割数は１２に限られない。
【００３６】
そして、画像処理部１２は、２Ｋ解像度分のメモリ領域を確保し、このメモリ領域に分割画像４０１ａ〜４１２ａを左詰めで貼り付けることで、出力画像４０１〜４１２を生成する。これらのメモリ領域は、ＹＵＶ４４４フォーマット換算で１枚あたり約６．０ＭＢ程度となる。出力画像４０１〜４１２は、分割画像４０１ａ〜４１２ａと余白画像４０１ｂ〜４１２ｂとで構成される。余白画像４０１ｂ〜４１２ｂの色は、４Ｋ元画像への影響及び画像処理の影響が最も少ない明るめのグレー(Ｙ＝１９１，  Ｃｂ＝Ｃｒ＝１２８)が好ましい。もちろん、余白画像４０１ｂ〜４１２ｂの色はこれ以外であってもよい。
特に限定されないが、例えば黒とされる。したがって、出力画像４０１〜４１２のサイズは２Ｋ（具体的には、例えば、１９２０×１０８０／５９．９４ｐ、または１９２０×１０８０／５０ｐ）となる。
【００３７】
ここで、分割画像４０１ａ〜４１２ａ同士が一部重なるようにした理由は以下のとおりである。すなわち、分割画像４０１ａ〜４１２ａが全く重なっていないと、映像機器２０は、４Ｋ元画像１００を復元する際に、分割画像４０１ａ〜４１２ａの全体を使用する必要がある。一方、分割画像４０１ａ〜４１２ａの外側の領域は黒色の余白画像４０１ｂ〜４１２ｂとなっているので、分割画像４０１ａ〜４１２ａの外縁の輝度が乱れている場合がある。したがって、映像機器２０が分割画像４０１ａ〜４１２ａの全体を使用して４Ｋ元画像１００を復元した場合、復元された４Ｋ元画像１００は、分割画像４０１ａ〜４１２ａの境界部分の領域が乱れている場合がある。
【００３８】
一方、本実施形態のように、分割画像４０１ａ〜４１２ａ同士が一部重なる場合、映像機器２０は、４Ｋ元画像１００を復元する際に、分割画像４０１ａ〜４１２ａの一部だけを使用すれば良い（図１２参照）。この場合、分割画像４０１ａ〜４１２が使用する領域（図１２に示す取込画像５０１〜５１２）の周辺は４Ｋ元画像１００を構成する画素となっている。したがって、取込画像５０１〜５１２の外縁の乱れは低減されている。このため、映像機器２０が取込画像５０１〜５１２を使用して４Ｋ元画像１００を復元した場合、復元された４Ｋ元画像１００は、取込画像５０１〜５１２の境界部分での乱れが少ない。すなわち、取込画像５０１〜５１２の周辺の領域は、４Ｋ元画像１００を復元する際ののりしろとして機能する。そこで、本実施形態では、分割画像４０１ａ〜４１２ａ同士が一部重なるようにした。
【００３９】
画像処理部１２は、出力画像４０１〜４１２中の所定の位置に付加制御情報３００を重畳（付加）する。付加制御情報３００については後述する。画像処理部１２は、出力画像４０１〜４１２を通信部１３に出力する。通信部１３は、各分割画像４０１ａ〜４１２を少なくとも２Ｖずつ出力する。ここで、出力画像を構成する各画素にはｘｙ座標が設定されている（図４参照）。左上端部の画素の座標は（０，０）となり、右下端部の画素の座標は（１９１９，１０７９）となる。以下、出力画像に設定されているｘｙ座標を出力画像座標とも称する。
【００４０】
（３−３．付加制御情報の重畳位置及び構成）
上述したように、画像処理部１２は、出力画像の各々に付加制御情報を重畳する。そこで、つぎに、図４〜図７に基づいて、付加制御情報３００の重畳位置及び構成について説明する。
【００４１】
図４は、分割画像４０１ａに付加制御情報３００が重畳される例を示す。図４に示すように、画像処理部１２は、出力画像座標（１６００、５４０）の位置に付加制御情報３００を重畳する。具体的には、画像処理部１２は、付加制御情報３００の先頭画素（左端の画素）を出力画像座標（１６００、５４０）に重畳させる。
【００４２】
この位置に付加制御情報３００を重畳させることとした理由は以下のとおりである。すなわち、画像処理装置１０がアンプ等の他の機器を介して映像機器２０に接続されている場合、他の機器が出力画像に何らかの付加情報（例えば、バナー等のＯＳＤ出力）を重畳する場合がある。他の機器は、付加情報を出力画像の隅に重畳することが多い。そして、付加制御情報３００に付加情報が重畳されると、付加情報によって付加制御情報３００が上書きされてしまう。また、出力画像が分割画像４０１ａ〜４１２ａを含む場合、付加制御情報３００は分割画像４０１ａ〜４１２ａと重ならない位置に重畳される必要がある。そこで、画像処理部１２は、出力画像座標（１６００、５４０）の位置に付加制御情報３００を重畳することとした。もちろん、上述した条件が満たされるのであれば、付加制御情報３００は、他の位置に重畳されても構わない。
【００４３】
付加制御情報３００は、第１付加制御情報３０１と、第２付加制御情報３０２とで構成される。第１付加制御情報３０１は１６画素で構成される情報であり、第２付加制御情報３０２は４８画素で構成される情報である。付加制御情報３００を構成する各画素は、白または黒で情報を表現する。白は「１」を示し、黒は「０」を示す。すなわち、付加制御情報３００は、輝度値のみで情報を表現する。白は輝度値が例えば２３５〜２５４となる色であり、黒は輝度値が１〜１６となる色である。映像機器２０は、所定のしきい値を用いて、各画素の色を０または１に変換（デコード）することで、付加制御情報３００が示す情報を認識する。
【００４４】
ここで、付加制御情報３００が輝度値のみで情報を表現することとしたのは、以下の理由による。すなわち、付加制御情報３００が輝度値以外の色情報（例えば色度等）で情報を表現した場合、色フォーマットの変換によって情報の内容が変わってしまう可能性があるからである。例えば、出力画像がＲＧＢの色フォーマットで生成され、出力画像の色フォーマットが映像機器２０によってＹＣｂＣｒ４２２に変換された場合、付加制御情報３００の内容が変わってしまう。しかし、輝度値は、色フォーマットの変換によっても不変である。そこで、本実施形態では、付加制御情報３００は輝度値のみで情報を表現することとした。
【００４５】
第１付加制御情報３０１の具体的な構成を図５に示す。第１付加制御情報３０１は、第０画素〜第ｆ画素で構成される。なお、第１付加制御情報３０１及び第２付加制御情報３０２の説明では、各画素が示す情報をデコード後の情報、すなわち「０」または「１」で示すが、各画素は「０」または「１」に対応する輝度値を有する。
【００４６】
第０〜第１画素は、第１付加制御情報３０１のビット長を示す。本実施形態では、第１付加制御情報３０１は２バイト（１６ビット）の長さを有するので、第０画素は「１」、第１画素は「０」を示す。すなわち、これらの画素で「１０」＝「２（１０進数）」を示す。なお、第１付加制御情報３０１のビット長はこの例に限られない。例えば第１付加制御情報３０１は３バイトのビット長となりうる。この場合、第０画素及び第１画素はいずれも「１」を示す。
【００４７】
第２画素は、出力画像がブランク画像であるか否かを示すフラグとなる。後述するように、画像処理部１２は、出力画像としてブランク画像も生成する。ブランク画像は、映像機器２０による表示対象とならない。第２画素が「１」となる場合、出力画像はブランク画像となり、第２画素が「０」となる場合、出力画像はブランク画像以外の画像（例えば上述した分割画像４０１ａ〜４１２ａ）となる。
【００４８】
第３画素は、出力画像が縮小画像であるか否かを示すフラグとなる。第３画素が「１」となる場合、出力画像は出力画像となり、第３画素が「０」となる場合、出力画像は縮小画像以外の画像（例えば上述した分割画像４０１ａ〜４１２ａ）となる。
【００４９】
第４画素は、入力画像１００ａ（すなわち、分割画像４０１ａ〜４１２ａ）が３Ｄ画像（具体的には、右目用画像または左目用画像のいずれか）であるか否かを示すフラグである。第４画素が「１」となる場合、入力画像１００ａは３Ｄ画像であり、第４画素が「０」となる場合、入力画像１００ａは２Ｄ画像である。
【００５０】
第５画素は、入力画像１００ａが右目用画像及び左目用画像のどちらであるかを示すフラグである。第５画素が「１」となる場合、入力画像１００ａは左目用画像であり、第５画素が「０」となる場合、入力画像１００ａは右目用画像である。入力画像１００ａが３Ｄ画像となる場合、右目用画像及び左目用画像のどちらが先に映像機器２０に出力されても良いが、例えば左目用画像から映像機器２０に送信される。
【００５１】
なお、入力画像１００ａが２Ｄ画像となる場合、第５画素は「１」及び「０」のどちらであっても良いが、例えば「１」とされる。したがって、映像機器２０が２Ｄにのみ対応している場合、第４画素及び第５画素は、常に「０１」とされる。
【００５２】
第６〜第７画素は、画像識別インデックスを構成する。すなわち、第６画素及び第７画素は、映像機器２０に現在送信中の入力画像１００ａを識別するための情報となる。第６〜第７画素によって、「００」〜「１１」の４種類の情報が表現される。入力画像１００ａが切り替わる毎に、第６〜第７画素が示す数値が１インクリメントされる。「１１」の次は「００」となる。すなわち、画像識別インデックスはループインデックスとなる。
【００５３】
第８〜第９画素は、分割画像４０１ａ〜４１２ａが出力される信号周波数を示す。第８〜第９画素が「００」となる場合、分割画像４０１ａ〜４１２ａが５９．９４Ｈｚまたは５０Ｈｚで出力されることを示す。この場合それぞれの分割画像の繰り返し数は２となる。第８〜第９画素が「０１」となる場合、分割画像４０１ａ〜４１２ａが２４Ｈｚで出力されることを示す。この場合はそれぞれの分割画像が前処理部２２での周波数変換処理により４８Ｈｚの二度書き処理となるため、繰り返し数は１となる。なお、第８〜第９画素は、分割画像４０１ａ〜４１２ａの繰り返し数を示すものであってもよい。第８〜第９画素が「００」となる場合、繰り返し数は２となり、第８〜第９画素が「０１」となる場合、繰り返し数は３となり、第８〜第９画素が「１０」となる場合、繰り返し数は４となり、第８〜第９画素が「１１」となる場合、繰り返し数は５となる。また、画像処理装置は、入力画像のフォーマットに応じて第８〜第９画素の内容（ビットアサイン）を上記のいずれかに設定してもよい。
【００５４】
例えば分割画像の出力信号周波数が５９．９４Ｈｚとなる場合、通信部１３は、各分割画像４０１ａ〜４１２ａを２Ｖずつ映像機器２０に出力する。映像機器２０は分割画像４０１ａを２Ｖ毎に１回キャプチャする（取り込む）。同様に、例えば分割画像の出力信号周波数が２４Ｈｚとなる場合、通信部１３は、各分割画像４０１ａ〜４１２ａを１Ｖずつ映像機器２０に出力する。映像機器２０は分割画像４０１ａ〜４１２ａを前処理部２２で二度書きするため、２Ｖ毎に１回キャプチャする（取り込む）。繰り返し数をどのように設定するかは、例えば映像機器２０のハードウェア制約を受けうる。なお、以下の説明では、分割画像の出力信号周波数が５９．９４Ｈｚで繰り返し数が２である場合を例として説明する。
【００５５】
第ａ〜第ｂ画素は、本実施形態では未使用なので、いずれも「０」とされる。もちろん、これらの画素に何らかの情報を持たせても良い。
【００５６】
第ｃ〜第ｆ画素は、出力画像が何枚目の分割画像であるかを示す。すなわち、第ｃ〜第ｆ画素は、「００００」〜「１０１１」の範囲の数値を取りうる。「００００」は１枚目の分割画像、すなわち分割画像４０１ａを示し、「１０１１」は１２枚目の分割画像、すなわち分割画像４１２ａを示す。
【００５７】
第２付加制御情報３０２の具体的な構成を図６に示す。第２付加制御情報３０２は、第１〜第４画素列３０２ａ〜３０２ｄで構成される。第１画素列３０２ａは、１２個の画素で構成され、入力画像１００ａの水平方向（ｘ方向）開始位置を示す。ここで、水平方向開始位置は、図７に示す画素Ａ（入力画像１００ａの左上隅を構成する画素）のｘ座標である。第１画素列３０２ａは、「００００００００００００」＝「０（１０進数）」〜「１１１０１１１１１１１１」＝「３８３９（１０進数）」の範囲内の値を取りうる。
【００５８】
第２画素列３０２ｂは、１２個の画素で構成され、入力画像１００ａの垂直方向（ｙ方向）開始位置を示す。ここで、垂直方向開始位置は、図７に示す画素Ａのｙ座標である。第２画素列３０２ｂは、「００００００００００００」＝「０（１０進数）」〜「１００００１１０１１１１」＝「２１５９（１０進数）」の範囲内の値を取りうる。
【００５９】
第３画素列３０２ｃは、１２個の画素で構成され、入力画像１００ａの水平方向（ｘ方向）サイズを示す。ここで、水平方向サイズは、図７に示す矢印Ｃの長さを示す。第３画素列３０２ｃは、「０００００００００００１」＝「１（１０進数）」〜「１１１１００００００００」＝「３８４０（１０進数）」の範囲内の値を取りうる。
【００６０】
第４画素列３０２ｄは、１２個の画素で構成され、入力画像１００ａの垂直方向（ｙ方向）サイズを示す。ここで、垂直方向サイズは、図７に示す矢印Ｂの長さを示す。第４画素列３０２ｄは、「０００００００００００１」＝「１（１０進数）」〜「１００００１１１００００」＝「２１６０（１０進数）」の範囲内の値を取りうる。
【００６１】
したがって、同じ入力画像１００ａから生成された出力画像は、全て同じ第２付加制御情報３０２を有することとなる。なお、後述するように、出力画像がブランク画像となる場合、出力画像は表示されないので、第２付加制御情報３０２は不要となる。したがって、出力画像がブランク画像となる場合、第２付加制御情報３０２は削除されてもよい。この場合、後述するように、第２付加制御情報３０２を構成する各画素は、背景色と同じ色となることが好ましい。
【００６２】
映像機器２０は、第２付加制御情報３０２にもとづいて、４Ｋ元画像１００中の入力画像１００ａ及び余白画像１００ｂを認識することができる。映像機器２０は、余白画像１００ｂに対し、焼き付き防止処理等を行なってもよい。例えば、映像機器２０は、画像出力部２４が液晶ディスプレイとなる場合、余白画像１００ｂにむらが生じないようなバックライト制御を行なってもよい。また、映像機器２０は、画像出力部２４が有機ＥＬディスプレイとなる場合、余白画像１００ｂと入力画像１００ａとの輝度差を小さくする制御を行なってもよい。これにより、有機ＥＬディスプレイの焼き付きが抑制される。
【００６３】
なお、第２付加制御情報３０２の各画素列が上述した範囲外の値を示す場合、映像機器２０は、第２付加制御情報３０２がエラーであると判定する。この場合、映像機器２０は、４Ｋ元画像１００全体が入力画像１００ａとなっていると判定してもよい。
【００６４】
（３−４．認証処理（認証テスト））
次に、認証処理について説明する。上述したように、画像処理装置１０は、分割画像４０１ａ〜４１２ａを２Ｖ毎に切り替えて出力する。したがって、映像機器２０が分割画像４０１ａ〜４１２ａの合成に対応していない場合には、これらの分割画像４０１ａ〜４１２ａがそのまま表示されてしまう。したがって、映像機器２０が分割画像４０１ａ〜４１２ａの合成に対応していない場合、分割画像４０１ａ〜４１２ａの出力を行わないようにする必要がある。
【００６５】
そこで、画像処理部１２は、後述するように、事前に映像機器２０からのＥＤＩＤ情報を取得する。そして、画像処理部１２は、ＥＤＩＤ情報に基づいて、映像機器２０が分割画像４０１ａ〜４１２ａの合成に対応している（以下、単に「４Ｋ合成に対応している」とも称する）か否かを判断する。しかし、画像処理装置１０と映像機器２０とがアンプ等の他の機器を介して接続されている場合、他の機器の種類によっては、映像機器２０からのＥＤＩＤ情報が画像処理装置１０に届かない場合がある。また、ＥＤＩＤ情報のうち、映像機器２０が４Ｋ合成に対応しているか否かを示す合成可能情報が何らかの理由により無効となっている場合がある。これらの場合、画像処理部１２は、映像機器２０が４Ｋ合成に対応しているか否かを判定することができない。
【００６６】
そこで、画像処理部１２は、これらの場合、分割画像４０１ａ〜４１２ａの出力前に、以下の認証処理を行う。これにより、画像処理部１２は、映像機器２０が４Ｋ合成に対応しているか否かをチェックする。
【００６７】
具体的には、画像処理部１２は、図８に示すように、分割画像４０１ａ〜４１２ａの生成を開始するために必要なトリガ操作が記述された説明画像６００を生成する。説明画像６００は４Ｋ解像度を有する。また、トリガ操作は「Ｌ１ボタンを押す」操作となる。なお、画像処理部１２は、説明画像６００を視認したユーザ以外のユーザがトリガ操作を把握することができないように、説明画像６００を生成する毎にトリガ操作をランダムに切り替えることが好ましい。ユーザは、仮にインターネット等で一部のトリガ操作を知ったとしても、実際に説明画像６００に記述されたトリガ操作を行わない限り、分割画像４０１ａ〜４１２ａの出力を開始させることができない。
【００６８】
そして、画像処理部１２は、説明画像６００を１２分割することで、説明用分割画像６０１〜６１２を生成する。なお、図８では、説明画像６００が単純に１２分割されているが、画像処理部１２は、実際には、上述した分割画像４０１ａ〜４１２ａと同様に、一部が重なった説明用分割画像６０１〜６１２を生成する。
【００６９】
そして、画像処理部１２は、上述した出力画像４０１〜４１２を生成する場合と同様の処理を行うことで、説明用分割画像６０１〜６１２を含む出力画像を生成する。そして、画像処理部１２は、出力画像に付加制御情報３００を重畳する。ここで、画像処理部１２は、説明画像６００が通常の入力画像１００ａ（ブランク画像７００及び縮小画像２００でない）として、付加制御情報３００を生成する。画像処理部１２は、出力画像を通信部１３に出力し、通信部１３は、出力画像を少なくとも２Ｖずつ映像機器２０に出力する。なお、通信部１３は、説明画像６００を所定時間（例えば２秒程度）映像機器２０に表示させる必要があることから、２ループ以上説明用分割画像６０１〜６１２を出力する。ここで、１ループは、説明用分割画像６０１〜６１２を２Ｖずつ出力することを意味する。
【００７０】
ここで、画像処理部１２は、説明画像６００の背景色を統一する。その理由は以下のとおりである。すなわち、説明画像６００の背景色が統一されていないと、各説明用分割画像６０１〜６１２の背景色も統一されてないことになる。一方、映像機器２０は、分割画像４０１ａ〜４１２ａの合成に対応していない場合、説明用分割画像６０１〜６１２の合成を行うことができない。したがって、映像機器２０は、これらの説明用分割画像６０１〜６１２を短期間の間に順次表示することになる。したがって、説明画像６００の背景色が統一されていないと、異なる色の画像が短期間の間に表示されることになる。この場合、ユーザは、画像の視認による疲労が大きくなる可能性がある。そこで、本実施形態では、説明画像６００の背景色を統一する。この観点からは、背景色はなるべくユーザによる視認の負荷にならない色、たとえばグレー系の色とすることが好ましい。また、ユーザによる視認の負荷にならない範囲で背景色を多少変化させてもよい。
【００７１】
その後、画像処理部１２は、図９に示すブランク画像（無効画像）７００を生成する。このブランク画像７００には、映像機器２０が分割画像４０１ａ〜４１２ａの合成に対応していないことを示す情報が記述される。この例では、「お使いのテレビは●●●４Ｋ表示に対応しておりません」という文字情報が記述される。ここで、「●●●」には、例えば映像機器２０の製品名が入る。なお、画像処理部１２は、ブランク画像７００用にもメモリ領域を確保しておく。
【００７２】
また、上述したように、画像処理部１２は、画像処理装置１０と映像機器２０とを介在する他の機器が原因でＥＤＩＤ情報が読み取れなかった場合がある。そこで、ブランク画像７００には、他の機器が４Ｋ元画像非表示の原因である可能性がある旨、及び、画像処理装置１０と映像機器２０とを直接接続することを促す旨もブランク画像７００に記述される。
【００７３】
また、画像処理部１２は、ブランク画像７００を含む出力画像を生成し、出力画像に付加制御情報３００を重畳する。付加制御情報３００は、実質的に第１付加制御情報３０１のみで構成される。すなわち、第２付加制御情報３０２が重畳される位置には、背景色と同色の画素が配置される。付加制御情報３００をなるべく目立たせないようにするためである。
【００７４】
画像処理部１２は、出力画像を通信部１３に出力する。通信部１３は、出力画像、すなわちブランク画像７００を所定時間（例えば１５秒程度）映像機器２０に出力する。映像機器２０は、認証処理に応じて、以下の処理を行う。
【００７５】
すなわち、映像機器２０は、４Ｋ合成に対応している場合、説明用分割画像６０１ａ〜６１２ａを合成し、説明画像６００を復元する。このため、図１０に示すように、映像機器２０は、説明画像６００を表示することができる。したがって、ユーザは、トリガ操作を認識することができるので、トリガ操作を行う。画像処理部１２は、トリガ操作が行われた場合に、分割画像４０１ａ〜４１２ａの生成を開始する。なお、映像機器２０は、その後にブランク画像７００を含む出力画像を受信しても、付加制御情報３００に基づいて、出力画像がブランク画像７００であることを認識することができる。したがって、映像機器２０は、ブランク画像７００を表示しない。
【００７６】
一方、映像機器２０は、分割画像４０１ａ〜４１２ａの合成に対応していない場合、説明用分割画像６０１〜６１２を順次表示する。その後、映像機器２０は、図１１に示すように、ブランク画像７００を表示する。映像機器２０は、付加制御情報３００を読み取ることができないので、出力画像がブランク画像であるか否かを判定することができないからである。すなわち、本実施形態では、映像機器２０は、４Ｋ合成に対応している場合、ブランク画像７００を表示しないが、４Ｋ合成に対応していない場合、ブランク画像７００を表示する。そこで、本実施形態では、これを逆手にとって、ブランク画像７００に各種の情報（映像機器２０が分割画像４０１ａ〜４１２ａの合成に対応していない旨の情報等）を盛り込むこととした。
【００７７】
これにより、ユーザは、映像機器２０が４Ｋ合成に対応しているか否かを容易に判断することができる。また、ブランク画像７００には、他の機器が４Ｋ元画像非表示の原因である可能性がある旨も記述されているので、コールセンタへの無用な問い合わせが低減される。
【００７８】
なお、画像処理部１２は、認証処理以外にもブランク画像７００を生成する場合がある。例えば、画像処理部１２は、ＳＰＤ  Ｉｎｆｏｆｒａｍｅを変更してから所定の待機時間の間には、ブランク画像７００を生成する。この場合のブランク画像７００には、上述した情報は記述されていなくてもよい。
【００７９】
（３−５．ＳＰＤ  Ｉｎｆｏｆｒａｍｅに関する処理）
画像処理部１２は、ＳＰＤ（Ｓｏｕｒｃｅ  Ｐｒｏｄｕｃｔ  Ｄｅｓｃｒｉｐｔｉｏｎ）  Ｉｎｆｏｆｒａｍｅを生成し、通信部１３に出力する。通信部１３は、ＳＰＤ  Ｉｎｆｏｆｒａｍｅを映像機器２０に出力する。ここで、ＳＰＤ  Ｉｎｆｏｆｒａｍｅは、画像処理装置１０の機器名称等が記述される情報である。画像処理部１２は、このＳＰＤ  Ｉｎｆｏｆｒａｍｅを用いて、分割画像４０１ａ〜４１２ａの出力を開始することを映像機器２０に通知する。すなわち、画像処理部１２は、分割画像４０１ａ〜４１２ａの出力を開始する場合には、通信部１３にＴＭＤＳ信号の一時停止を指示する。これに応じて、通信部１３は、ＴＭＤＳ信号の出力を一時停止する。
【００８０】
そして、画像処理部１２は、分割画像４０１ａ〜４１２ａの出力を開始する旨を示す出力開始情報をＳＰＤ  Ｉｎｆｏｆｒａｍｅに含める。一方、画像処理部１２は、分割画像４０１ａ〜４１２ａの出力を終了する場合には、出力開始情報をＳＰＤ  Ｉｎｆｏｆｒａｍｅから削除する。
【００８１】
そして、画像処理部１２は、ＳＰＤ  Ｉｎｆｏｆｒａｍｅを通信部１３に出力する。通信部１３は、ＳＰＤ  Ｉｎｆｏｆｒａｍｅ出力を出力し、さらに、ＴＭＤＳ信号の出力を再開する。一方、映像機器２０は、ＴＭＤＳ信号が途切れた場合には、ＴＭＤＳ信号の再開後に受信したＳＰＤ  Ｉｎｆｏｆｒａｍｅを読み込む。これにより、映像機器２０は、分割画像４０１ａ〜４１２ａの出力が開始されるか否かを容易に判断することができる。なお、画像処理装置１０と映像機器２０とが他の機器を介して接続されている場合、ＳＰＤ  Ｉｎｆｏｆｒａｍｅも映像機器２０に届かない場合がある。この観点からも、上述した認証処理は重要となる。
【００８２】
なお、画像処理部１２は、上述した処理以外にも、画像処理装置１０全体の制御、写真再生アプリケーションの実行、映像機器２０のディスプレイ設定等の処理を行う。また、画像処理部１２は、２Ｋ解像度の画像の生成も行うことができる。
【００８３】
通信部１３は、出力画像が与えられた際に、付加制御情報３００を読み取り、付加制御情報３００に基づいて、出力画像を映像機器２０に出力する。
【００８４】
＜４．映像機器の構成＞
次に、図１に基づいて、映像機器２０の構成について説明する。映像機器２０は、通信部２１と、前処理部２２と、画像処理部２３と、画像出力部２４とを備える。なお、映像機器２０は、例えばＴＶ受信機であり、ＣＰＵ、ＲＯＭ、ＲＡＭ、ハードディスク、通信装置、表示パネル等のハードウェア構成を有する。ＲＯＭには、映像機器２０に、通信部２１と、前処理部２２と、画像処理部２３と、画像出力部２４とを実現させるためのプログラムが記録されている。ＣＰＵは、ＲＯＭに記録されたプログラムを読みだして実行する。したがって、これらのハードウェア構成により、通信部２１と、前処理部２２と、画像処理部２３と、画像出力部２４とが実現される。
【００８５】
通信部２１は、画像処理装置１０の通信部１３とＨＤＭＩケーブル３０により接続されており、通信部１３との間でＴＭＤＳ信号のやり取りを行う。通信部２１は、通信部１３から受信した情報（例えば、出力画像等）を前処理部２２に出力する。また、通信部２１は、前処理部２２等から与えられた情報を画像処理装置１０に出力する。
【００８６】
前処理部２２は、映像機器２０内部の制御を行う他、以下の処理を行う。例えば、前処理部２２は、ＴＭＤＳ信号が途切れた場合に、ＴＭＤＳ信号再開後のＳＰＤ  Ｉｎｆｏｆｒａｍｅを読み取る。そして、前処理部２２は、ＳＰＤ  Ｉｎｆｏｆｒａｍｅに出力開始情報が含まれる場合には、信号パスの切替制御等を行う。また、前処理部２２は、出力画像に含まれる付加制御情報３００をデコードする（輝度値を「０」または「１」に変換する）。そして、前処理部２２は、付加制御情報３００にもとづいて、出力画像の種別を判定する。前処理部２２は、出力画像が縮小画像２００を含む場合には、出力画像を画像処理部２３に出力する。
【００８７】
一方、前処理部２２は、出力画像が分割画像４０１ａまたは説明用分割画像６０１ａを含む場合には、出力画像にＬＲフラグを付して、画像処理部２３に出力する。また、前処理部２２は、出力画像がブランク画像７００となる場合、出力画像を破棄する。
【００８８】
画像処理部２３は、出力画像が縮小画像２００を含む場合、縮小画像２００から顔画像を検出する。そして、画像処理部２３は、顔画像に含まれる色をメモリ（超解像処理抑制カラーテーブル）に記録する。また、画像処理部２３は、出力画像にＬＲフラグが含まれる場合には、分割画像４０１ａ〜４１２ａ（または説明用分割画像６０１〜６１２）の取り込みを行うことで、４Ｋ元画像１００（または説明画像６００）を復元する。すなわち、画像処理部２３はＬＲフラグをトリガとして分割画像分割画像４０１ａ〜４１２ａ（または説明用分割画像６０１〜６１２）の取り込みを行う。
【００８９】
画像処理部２３は、４Ｋ元画像１００（または説明画像６００）を復元するためのバッファを少なくとも１つ有している。各バッファは４Ｋ解像度分のメモリ領域を有する。バッファにはｘｙ座標が設定されている。左上端部の画素の座標は（０，０）となり、右下端部の画素の座標は（３８３９，２１５９）となる。以下、バッファに設定されているｘｙ座標を復元画像座標とも称する。
【００９０】
映像機器２０が３Ｄ対応の場合には、画像処理部２３は、少なくとも２枚のバッファを有する。２枚のバッファは、１組の左目用画像及び右目用画像に対応する。画像処理部２３は、入力画像１００ａの左目用画像と右目用画像とが切り替わる毎に、分割画像４０１ａ〜４１２ａを取り込むバッファを切り替える。
【００９１】
すなわち、画像処理部１２は、画像処理装置１０が２Ｖずつ分割画像４０１ａ〜４１２ａを出力する場合、分割画像４０１ａを受信してからＶ  Ｓｙｎｃカウントを開始し、１Ｖ毎、すなわち奇数回毎に分割画像（具体的には、分割画像を含む出力画像）の取込みを行なう。この場合、２３Ｖ目で取り込みが終了する。一方、画像処理部１２は、取り込んだ出力画像中の所定の取込開始位置から所定の取込サイズの取込画像を抽出し、取込画像をバッファの所定の復元位置に貼り付けることで、４Ｋ元画像１００を復元する（４Ｋ復元画像５００を生成する）。
【００９２】
ここで、図１２に基づいて、４Ｋ元画像１００を復元する処理の一例を説明する。まず、画像処理部２３は、予め２Ｋ解像度分のメモリ領域を確保し、そのメモリ領域に分割画像４０１ａを含む出力画像４０１を取り込む。
【００９３】
そして、画像処理部２３は、出力画像４０１中の所定の取込開始位置から所定の取込サイズの取込画像５０１を抽出し、取込画像５０１をバッファの所定の復元位置に貼り付ける。
【００９４】
同様に、画像処理部２３は、出力画像４０２〜４１２を順次メモリ領域に取り込み、各出力画像４０２〜４１２中の所定の取込開始位置から所定の取込サイズの取込画像５０２〜５１２を抽出する。そして、画像処理部２３は、取込画像５０２〜５１２を所定の復元位置に貼り付ける。これにより、画像処理部２３は、４Ｋ元画像１００を復元する。すなわち、画像処理部２３は、４Ｋ復元画像５００を生成する。
【００９５】
ここで、取込開始位置は、取込画像５０１〜５１２の左上端部を構成する画素の出力画像座標であり、取込サイズは、取込画像５０１〜５１２のサイズであり、単位は画素（ピクセル）である。復元位置は、取込画像５０１〜５１２の左上端部を構成する画素の復元画像座標である。表２に、各取込画像５０１〜５１２の取込開始位置、取込サイズ、及び復元位置を示す。
【００９６】
【表２】
2014041455.tif 000004
【００９７】
そして、画像処理部２３は、４Ｋ復元画像５００に対し超解像処理を施す。ここで、画像処理部２３は、超解像処理抑制カラーテーブルに記録されている色については、超解像処理を抑制する。これにより、画像処理部２３は、肌の表現が荒くなることを抑制する。なお、超解像処理は、概略的には、画素の補完処理である。画像処理部２３は、超解像処理後の４Ｋ復元画像５００を画像出力部２４に出力する。画像出力部２４は、４Ｋ復元画像５００を表示する。
【００９８】
＜５．画像処理システムによる処理の概要＞
次に、画像処理システムによる処理の概要を図１３〜図１５に示すタイミングチャートに沿って説明する。なお、この例では、画像処理装置１０はＥＤＩＤ情報によって映像機器２０が４Ｋ合成に対応していることを認識しているものとする。また、画像処理部１２が生成する画像には、付加制御情報３００が含まれているものとする。
【００９９】
まず、画像処理部１２は、写真再生アプリケーションを実行する。具体的には、画像処理部１２は、写真画像が一覧表示されたサムネイル画像９００を生成し、通信部１３に出力する。なお、サムネイル画像９００は２Ｋ解像度を有する。通信部１３は、サムネイル画像９００を映像機器２０に出力し、映像機器２０の画像出力部２４は、サムネイル画像９００を表示する。
【０１００】
その後、ユーザがいずれかの写真画像を選択すると、時刻ｔ１〜ｔ２において、画像処理部１２は、通信部１３にＴＭＤＳ信号の一時停止を指示する。通信部１３は、それまで出力していたＴＭＤＳ信号を途切れさせる。これに応じて、映像機器２０は、画ミュート処理（画像出力部２４による画像表示を中止する処理）を行う。なお、画ミュート処理では、後述する全黒画像８００は表示されてもよい。
【０１０１】
そして、画像処理部１２は、ＳＰＤ  Ｉｎｆｏｆｒａｍｅに出力開始情報を含めて通信部１３に出力する。その後、通信部１３は、ＴＭＤＳ信号の出力を再開するとともに、ＳＰＤ  Ｉｎｆｏｆｒａｍｅを出力する。その後、画像処理部１２は、ブランク画像７００または全黒画像８００（いずれも２Ｋ解像度）を生成し、通信部１３に出力する。全黒画像８００は、全画素が黒で構成される。全黒画像８００に付加される付加制御情報３００は、ブランク画像７００と同様であればよい。通信部１３は、ブランク画像７００または全黒画像８００を６０Ｖ以上映像機器２０に出力する。なお、通信部１３は、縮小画像２００を含む出力画像を出力する前には、ブランク画像７００を１Ｖ以上出力する。
【０１０２】
一方、映像機器２０は、４Ｋ復元画像５００を生成するための準備を行う。具体的には、前処理部２２は、画ミュート処理（画像出力部２４による画像表示を中止する処理）を行う。一方、前処理部２２は、ＴＭＤＳ信号再開後のＳＰＤ  Ｉｎｆｏｆｒａｍｅを読み取る。そして、前処理部２２は、ＳＰＤ  Ｉｎｆｏｆｒａｍｅから出力開始情報を読み出し、信号パスの切替制御（４Ｋ出力に対応するための切替制御）等を行う。なお、前処理部２２は、ブランク画像７００及び全黒画像８００を破棄する。前処理部２２は、全黒画像８００を画像出力部２４に表示させてもよい。
【０１０３】
時刻ｔ２〜ｔ３において、画像処理部１２は、ユーザが選択した１枚目の写真画像（写真１）を入力画像１００ａとし、上述した処理により、縮小画像２００を生成する。そして、画像処理部１２は、縮小画像２００に付加制御情報３００を重畳する。そして、画像処理部１２は、縮小画像２００を出力画像として通信部１３に出力する。通信部１３は、出力画像を１２Ｖ以上出力する。
【０１０４】
映像機器２０の通信部２１は、出力画像を前処理部２２に出力する。前処理部２２は、出力画像中の付加制御情報３００に基づいて、出力画像が縮小画像２００であることを認識し、縮小画像２００を画像処理部２３に出力する。画像処理部２３は、縮小画像２００から顔画像を検出し、顔画像に含まれる色を超解像処理抑制カラーテーブルに記録する。
【０１０５】
時刻ｔ３〜ｔ４において、画像処理部１２は、ブランク画像７００を生成し、ブランク画像７００を出力画像として通信部１３に出力する。通信部１３は、出力画像を１Ｖ以上出力する。映像機器２０の通信部２１は、出力画像を前処理部２２に出力する。前処理部２２は付加制御情報にもとづいて、出力画像がブランク画像７００であることを認識し、ブランク画像７００を破棄する。
【０１０６】
時刻ｔ４〜ｔ５において、画像処理部１２は、上述した処理により分割画像４０１ａ〜４１２ａを生成し、さらに、分割画像４０１ａ〜４１２ａを含む出力画像４０１〜４１２を生成する。そして、画像処理部１２は、出力画像４０１〜４１２を通信部１３に出力する。通信部１３は、出力画像４０１〜４１２を２Ｖずつ（なお、この数は第１付加制御情報３０１内の第８〜第９画素の情報に応じて変わる）映像機器２０に出力する（１ループ目）。一方、映像機器２０の通信部１３は、出力画像４０１〜４１２を前処理部２２に出力する。前処理部２２及び画像処理部２３は、上述した処理により、４Ｋ復元画像５００を生成し、画像出力部２４に出力する。なお、この時点では、画像出力部２４は画像を表示していない。
【０１０７】
時刻ｔ５〜ｔ６において、画像出力部２４は４Ｋ復元画像５００（１枚目の写真画像）の表示を開始する（フェードインにより表示が開始されても良いが、フェードインでなくてもよい）。一方、画像処理部１２は、ブランク画像７００を生成し、ブランク画像７００を出力画像として通信部１３に出力する。通信部１３は、出力画像を１Ｖ以上出力する。映像機器２０はブランク画像７００を破棄する。
【０１０８】
時刻ｔ６〜ｔ７において、画像処理システムは、時刻ｔ４〜ｔ６と同様の処理を行う。すなわち、画像処理装置１０は、２ループ目の出力画像４０１〜４１２及びブランク画像７００の出力を行う。その後、画像処理装置１０は、ユーザが別の写真画像を選択するまで、出力画像４０１〜４１２及びブランク画像７００の出力（いわゆる、ループ出力）を繰り返す。なお、画像処理装置１０がループ出力を繰り返す理由は以下のとおりである。
【０１０９】
すなわち、ユーザが写真画像の閲覧中に映像機器２０への入力を画像処理装置１０から別の入力（例えば、地デジ入力）に切り替え、その後入力を元に戻した場合、映像機器２０は、写真画像を消失してしまう。したがって、映像機器２０が写真画像の表示を開始した後に、画像処理装置１０がループ出力を停止してしまうと、ユーザが別の写真画像を選択するまで、映像機器２０は写真画像を表示できなくなってしまう。そこで、画像処理装置１０は、ユーザが別の写真画像を選択するまで、ループ出力を繰り返すこととした。これにより、映像機器２０は、入力が元に戻った後に出力画像４０１〜４１２を受信し、これらの出力画像４０１〜４１２にもとづいて、写真画像を復元することができる。
【０１１０】
逆に、映像機器２０は、一旦４Ｋ復元画像５００の生成に成功した場合には、写真画像が切り替わるか、または、上述したように入力が切り替わった後に元に戻るまでは、分割画像４０１ａ〜４１２ａの取込を再度行わなくてもよい。
【０１１１】
その後、時刻ｔ８において、ユーザが２枚目の写真画像（写真２）を選択した場合、時刻ｔ８〜ｔ９において、画像処理システムは、写真２に対して時刻ｔ２〜ｔ３と同様の処理を行う。その後、画像処理システムは、時刻ｔ９〜ｔ１０、ｔ１０〜ｔ１１、ｔ１１〜ｔ１２、ｔ１２〜ｔ１３、ｔ１３〜ｔ１４において、それぞれ時刻ｔ３〜ｔ４、ｔ４〜ｔ５、ｔ５〜ｔ６、ｔ６〜ｔ７、ｔ７〜ｔ８と同様の処理を行う。ここで、映像機器２０の画像処理部２３は、少なくとも時刻ｔ８までは、写真２に関連する出力画像が入力されないので、写真１の表示を継続する。そして、画像処理部２３は、写真２に関連する出力画像が最初に入力された時刻（写真２の１枚画、すなわち縮小画像２００が入力された時刻、例えば時刻ｔ８）から、写真１をフェードアウトし、その後、写真２の復元が終了した時刻（４Ｋ復元画像５００の生成に成功した時刻、例えば時刻t１１）に、写真２をフェードインさせる。このように、画像処理装置１０は、ユーザが写真２を選択する前に、写真２のデコードを直ちに開始することができる。言い換えれば、画像処理装置１０は、映像機器２０が写真１を表示している裏で、写真２のデコードを開始しており、ユーザが写真２を選択した際にデコードが完了していれば、直ちに分割転送を開始できる。映像機器２０は、写真２の１枚画が最初に入力された際に、写真１をフェードアウトさせる。したがって、ユーザにとっては、写真画像の選択操作に対するフィードバックとしてフェードアウトが実行されたかのように見える。言い換えれば、ユーザは、フェードアウトを視認することで、写真画像の選択操作が受け付けられたことを認識することができる。
【０１１２】
その後、時刻ｔ１４において、ユーザが３枚目の写真画像（写真３）を選択した場合、画像処理装置１０は、写真３に対応する縮小画像２００を生成し、縮小画像２００を含む出力画像の出力を開始する。
【０１１３】
その後、時刻ｔ１５において、ユーザが中断操作を行うと、画像処理部１２は、ブランク画像７００を生成し、出力画像として通信部１３に出力する。通信部１３は、出力画像を１Ｖ以上映像機器２０に出力する。映像機器２０は、ブランク画像７００を破棄する。ついで、画像処理部１２は、全黒画像８００を生成し、通信部１３に出力する。通信部１３は、全黒画像８００を所定期間（画像処理装置１０内でのＳＰＤ  Ｉｎｆｏｆｒａｍｅの変更が終了するまで）映像機器２０に出力する。
【０１１４】
一方、画像処理部１２は、ＴＭＤＳ信号の一時停止を通信部１３に指示する。通信部１３は、ＴＭＤＳ信号を一時停止する。これに応じて、映像機器２０の前処理部２２は、画ミュート処理を行う。
【０１１５】
ついで、画像処理部１２は、出力開始情報を含まないＳＰＤ  Ｉｎｆｏｆｒａｍｅを生成し、通信部１３に出力する。通信部１３は、ＴＭＤＳ信号を再開するとともに、ＳＰＤ  Ｉｎｆｏｆｒａｍｅを映像機器２０に出力する。映像機器２０の前処理部２２は、ＴＭＤＳ信号再開後のＳＰＤ  Ｉｎｆｏｆｒａｍｅを読み取る。そして、前処理部２２は、ＳＰＤ  Ｉｎｆｏｆｒａｍｅに出力開始情報が含まれていないことを確認し、信号パスの切替制御（２Ｋ出力に対応するための切替制御）等を行う。その後、時刻ｔ１６以降では、画像処理システムは、時刻ｔ１以前の処理と同様の処理を行う。なお、上述した例では、写真画像の切り替わりのタイミングでブランク画像７００が挿入される。しかし、入力画像１００ａが３Ｄ画像となる場合には、写真画像の切り替わりのタイミング（すなわち、右目用画像及び左目用画像が切り替わるタイミング）でブランク画像７００を挿入しなくてもよい。
【０１１６】
図１６は、上述した各時刻での第１付加制御情報３１１〜３２１を示す。なお、白画素は「１」を示し、黒画素は「０」を示す。すなわち、第１付加制御情報３１１は、時刻ｔ１〜ｔ２で出力画像（ブランク画像７００）に付与される第１付加制御情報３０１を示す。第１付加制御情報３１１は、第０画素及び第２画素が「１」を示す。
【０１１７】
枠３５０で囲まれた第１付加制御情報３１２等は、時刻ｔ２〜ｔ３で出力画像に付与される第１付加制御情報３０１を示す。第１付加制御情報３１３は、時刻ｔ３〜ｔ４で出力画像（ブランク画像７００）に付与される第１付加制御情報３０１を示す。
【０１１８】
枠３５１で囲まれた第１付加制御情報３１４、３１５等は、時刻ｔ４〜ｔ５で出力される出力画像４０１〜４１２に対応する第１付加制御情報３０１を示す。具体的には、第１付加制御情報３１４は、出力画像４０１に対応し、第１付加制御情報３１５は出力画像４１２に対応する。第１付加制御情報３１６は、時刻ｔ５〜ｔ６で出力されるブランク画像７００に付与される第１付加制御情報３０１を示す。
【０１１９】
枠３５２で囲まれた第１付加制御情報３１７等は、時刻ｔ８〜ｔ９で出力画像に付与される第１付加制御情報３０１を示す。第１付加制御情報３１８は、時刻ｔ９〜ｔ１０で出力画像（ブランク画像７００）に付与される第１付加制御情報３０１を示す。
【０１２０】
枠３５３で囲まれた第１付加制御情報３１９、３２０等は、時刻ｔ１０〜ｔ１１で出力される出力画像４０１〜４１２に対応する第１付加制御情報３０１を示す。具体的には、第１付加制御情報３１９は、出力画像４０１に対応し、第１付加制御情報３２０は出力画像４１２に対応する。第１付加制御情報３２１は、時刻ｔ１１〜ｔ１２で出力される出力画像（ブランク画像７００）に付与される第１付加制御情報３０１を示す。
【０１２１】
＜６．画像処理システムによる処理＞
次に、図１７及び図１８に示すシーケンス図にもとづいて、画像処理システムによる処理について詳細に説明する。まず、図１７に基づいて、設定の切替（４Ｋ出力と２Ｋ出力との切替）について説明する。
【０１２２】
ステップＳ２００において、ユーザは、映像機器２０の電源をオンする。ついで、ステップＳ１００において、ユーザは、ディスプレイ設定に関する入力操作を行う。ステップＳ１０２において、画像処理装置１０の画像処理部１２は、各種のディスプレイ設定を行う。
【０１２３】
ステップＳ１０４において、画像処理部１２は、ＥＤＩＤ情報を要求する旨のＥＤＩＤ要求情報を生成し、通信部１３に出力する。通信部１３は、ＥＤＩＤ要求情報を映像機器２０に出力する。映像機器２０の通信部２１は、ＥＤＩＤ要求情報を前処理部２２に出力する。前処理部２２は、ＥＤＩＤ情報を生成し、通信部２１に出力する。前処理部２２は、映像機器２０が４Ｋ合成に対応している場合には、その旨の合成可能情報をＥＤＩＤ情報に含める。通信部２１は、ＥＤＩＤ情報を画像処理装置１０に出力する。画像処理装置１０の通信部１３は、ＥＤＩＤ情報を画像処理部１２に出力する。
【０１２４】
ステップＳ１０６において、画像処理部１２は、ＥＤＩＤ情報に基づいて、映像機器２０が４Ｋ合成に対応しているか否かを判定する。この結果、画像処理部１２は、映像機器２０が４Ｋ合成に対応していると判定した場合には、４Ｋ出力設定を開放する（すなわち、分割画像４０１ａ〜４１２ａの生成に必要な設定等を行う）。ステップＳ１０７において、ユーザは、ディスプレイ設定操作を終了する。
【０１２５】
ステップＳ１０８において、ユーザは、写真再生アプリケーションを起動する旨の入力操作を行う。ステップＳ１１０において、画像処理部１２は、写真再生アプリケーションを起動する。ステップＳ１１２において、ユーザは、写真再生アプリケーションに関する各種設定操作を行う。
【０１２６】
ステップＳ１１４において、画像処理部１２は、ステップＳ１０６において映像機器２０が４Ｋ合成に対応しているか否かを判定することができなかった場合、上述した認証処理（認証テスト）を開始する。具体的には、ステップＳ１１６において、画像処理部１２は、通信部１３にＴＭＤＳ信号の一時停止を指示する。通信部１３は、ＴＭＤＳ信号の出力を一時停止する。その後、画像処理部１２は、ＳＰＤ  Ｉｎｆｏｆｒａｍｅに出力開始情報を含め、通信部１３に出力する。通信部１３は、ＴＭＤＳ信号の出力を再開するとともに、ＳＰＤ  Ｉｎｆｏｆｒａｍｅを出力する。
【０１２７】
ステップＳ２０２において、前処理部２２は、画ミュート処理を行う。一方、前処理部２２は、ＴＭＤＳ信号再開後のＳＰＤ  Ｉｎｆｏｆｒａｍｅを読み取る。そして、前処理部２２は、ＳＰＤ  Ｉｎｆｏｆｒａｍｅから出力開始情報を読み出し、信号パスの切替制御（４Ｋ出力に対応するための切替制御）等を行う。これにより、映像機器２０は、４Ｋ合成モードに遷移する。
【０１２８】
その後、ステップＳ１１８において、画像処理部１２は、トリガ操作が記述された説明画像６００を生成し、説明用分割画像６０１〜６１２を含む出力画像を生成する。そして、画像処理部１２は、出力画像に付加制御情報３００を重畳する。画像処理部１２は、出力画像を通信部１３に出力し、通信部１３は、出力画像を２Ｖずつ映像機器２０に出力する。
【０１２９】
ステップＳ２０４において、前処理部２２及び画像処理部２３は、４Ｋ合成に対応している場合、説明用分割画像６０１〜６１２にもとづいて、説明画像６００を復元し、画像出力部２４に表示する。なお、説明画像６００の復元は４Ｋ復元画像５００の生成と同様の処理によって行われる。続けてステップ１２２において画像処理部１２は、図９に示すブランク画像７００を生成する。そして画像処理部１２は、ブランク画像７００を通信部１３に出力し、通信部１３は、ブランク画像７００を映像機器２０に出力する。映像機器２０は、４Ｋ合成に対応している場合、ステップＳ１２０において、ユーザは、復元された説明画像６００に従いトリガ操作を行う。映像機器２０は、４Ｋ合成に対応していない場合、説明用分割画像６０１〜６１２を画像出力部２４に表示したのちに、ブランク画像７００を画像出力部２４に表示する。
【０１３０】
ステップＳ１２４において、画像処理部１２は、トリガ操作が行われた場合、４Ｋ出力を有効化する。画像処理部１２は図１５に示す時刻ｔ１５以降の処理を行なってから、ステップＳ１１２で表示された各種設定画面を出力する。なお、ステップＳ１２０においてユーザによる中断操作があった場合、あるいは一定時間ステップＳ１２０のトリガ操作が行われなかった場合には、ステップＳ１２６、Ｓ１２８、Ｓ２０６において、画像処理システムは、図１５に示す時刻ｔ１５以降の処理と同様の処理を行う。
【０１３１】
次に、図１８に示すシーケンス図にもとづいて、１枚目の写真画像を表示する処理について説明する。ステップＳ２１０において、ユーザは、映像機器２０の入力を画像処理装置１０からのＨＤＭＩ入力に切り替える。
【０１３２】
ステップＳ１３０において、ユーザは、いずれかの写真画像を選択する。ついで、ステップＳ１３２において、画像処理部１２は、４Ｋ合成処理を開始する。具体的には、ステップＳ１３４において、画像処理部１２は、通信部１３にＴＭＤＳ信号の一時停止を指示する。これに応じて、通信部１３は、ＴＭＤＳ信号の出力を一時停止する。
【０１３３】
ステップＳ２１２において、映像機器２０の前処理部２２は、ＴＭＤＳ信号の一時停止に応じて、画ミュート処理を行う。
【０１３４】
ステップＳ１３６において、画像処理部１２は、ＳＰＤ  Ｉｎｆｏｆｒａｍｅに出力開始情報を含めて通信部１３に出力する。通信部１３は、ＳＰＤ  Ｉｎｆｏｆｒａｍｅを出力する。ステップＳ１３８において、通信部１３は、ＴＭＤＳ信号の出力を再開する。
【０１３５】
ステップＳ１４０において、画像処理部１２は、ブランク画像７００または全黒画像８００を生成し、通信部１３に出力する。通信部１３は、ブランク画像７００または全黒画像８００を６０Ｖ以上映像機器２０に出力する。なお、通信部１３は、縮小画像２００を含む出力画像を出力する前には、ブランク画像７００を１Ｖ以上出力する。これにより、画像処理装置１０は、約１秒間のウエイト処理を行う。
【０１３６】
一方、ステップＳ２１４において、映像機器２０は、４Ｋ復元画像５００を生成するための準備を行う。具体的には、前処理部２２は、ＴＭＤＳ信号が安定化するまで待機する。一方、前処理部２２は、画ミュート処理を行う。さらに、前処理部２２は、ＴＭＤＳ信号再開後のＳＰＤ  Ｉｎｆｏｆｒａｍｅを読み取る。
【０１３７】
ステップＳ２１６〜Ｓ２１８において、前処理部２２は、ＳＰＤ  Ｉｎｆｏｆｒａｍｅから出力開始情報を読み出し、信号パスの切替制御（４Ｋ出力に対応するための切替制御）等を行う。すなわち、映像機器２０は、４Ｋ合成モードに遷移する。なお、前処理部２２は、ブランク画像７００及び全黒画像８００を破棄する。前処理部２２は、全黒画像８００を画像出力部２４に表示させてもよい。
【０１３８】
一方、ステップＳ１４２において、画像処理部１２は、ユーザが選択した写真画像を入力画像１００ａとして取得し、入力画像１００ａのデコード、スケーリングを行う。さらに、画像処理部１２は、入力画像１００ａにもとづいて、４Ｋ元画像１００を生成する。
【０１３９】
ステップＳ１４４〜Ｓ１４６において、画像処理装置１０は、上述した時刻ｔ２〜ｔ８の処理を行う。すなわち、画像処理装置１０は、縮小画像２００の生成及び出力、分割画像４０１ａ〜４１２ａを含む出力画像４０１〜４１２の生成及び出力を行う。
【０１４０】
一方、ステップＳ２２０において、映像機器２０の通信部２１は、縮小画像２００を含む出力画像を受信し、前処理部２２に出力する。前処理部２２は、出力画像中の付加制御情報３００に基づいて、出力画像が縮小画像２００であることを認識し、縮小画像２００を画像処理部２３に出力する。画像処理部２３は、縮小画像２００から顔画像を検出し、顔画像に含まれる色を超解像処理抑制カラーテーブルに記録する。
【０１４１】
ついで、ステップＳ２２２において、映像機器２０の通信部１３は、出力画像４０１〜４１２を受信し、前処理部２２に出力する。前処理部２２及び画像処理部２３は、上述した処理により、４Ｋ復元画像５００を生成する。
【０１４２】
ステップＳ２２４において、画像処理部２３は、画ミュート処理を解除し、４Ｋ復元画像５００を画像出力部２４に出力する。画像出力部２４は、４Ｋ復元画像５００を表示する。その後、ユーザが２枚目の写真画像を選択した場合には、ステップＳ１４２以降の処理が繰り返される。なお、本処理はスライドショーにも適用可能である。スライドショーでは、ユーザの代わりに画像処理部１２が任意に写真画像を選択する。したがって、各写真画像の切り替わり（タイムアウト）のタイミングで、ステップＳ１４２以降の処理が繰り返される。
【０１４３】
以上により、本実施形態では、２Ｋ出力しか持たない画像処理装置１０であっても、映像機器２０に４Ｋ解像度の画像（すなわち、４Ｋ復元画像５００）を出力することができる。
【０１４４】
また、画像処理システムは、ＳＰＤ  Ｉｎｆｏｆｒａｍｅ及び映像信号（ＴＭＤＳ信号）による制御をおこなう。すなわち、画像処理装置１０及び映像機器２０は、ＨＤＭＩケーブル３０で連携を行うので、本実施形態においては、ＣＥＣの通信を行わなくてもよい。
【０１４５】
さらに、画像処理装置１０は、画像処理装置１０と映像機器２０との間に他の機器（ＡＶアンプ等）が介在される等の理由で映像機器２０のＥＤＩＤ情報が読み出せない場合であっても、映像機器２０が４Ｋ合成に対応しているか否かを説明画像６００の復元により認証処理を行うことで判定することができる。
【０１４６】
さらに、画像処理装置１０は、縮小画像２００を映像機器２０に出力するので、映像機器２０は、顔などの肌色に対して超解像処理を抑制することができる。
【０１４７】
さらに、画像処理装置１０は、認証処理を行うことで、映像機器２０が４Ｋ合成に対応しているか否かを判定することができるので、４Ｋ合成に対応していない映像機器２０に対して分割画像４０１ａ〜４１２ａを出力する可能性を下げることができる。
【０１４８】
さらに、ＥＤＩＤ情報には、映像機器２０が４Ｋ合成に対応しているか否かを示す情報が含まれているので、この点でも、画像処理装置１０は、映像機器２０が４Ｋ合成に対応しているか否かを判定することができる。
【０１４９】
さらに、画像処理装置１０は、他の機器が情報を重畳する位置と異なる位置（出力画像の中央付近）に付加制御情報３００を重畳するので、他の機器からの情報によって付加制御情報３００が上書きされてしまう可能性を下げることができる。
【０１５０】
より詳細には、画像処理装置１０は、入力画像１００ａを分割することで、複数の分割画像４０１ａ〜４１２ａを生成し、分割画像４０１ａ〜４１２ａを含む出力画像４０１〜４１２を生成する。そして、画像処理装置１０は、出力画像４０１〜４１２を、入力画像１００ａを復元可能な映像機器２０に出力する。したがって、映像機器２０は、分割画像４０１ａ〜４１２ａをデコードする必要がないので、入力画像１００ａを容易に復元することができる。さらに、映像機器２０は、分割画像４０１ａ〜４１２ａを合成することで、入力画像１００を復元するので、より多様な画像を表示することができる。
【０１５１】
さらに、画像処理装置１０は、入力画像１００がエンコードされたエンコード情報をデコードすることで、入力画像１００ａを復元する。したがって、画像処理装置１０は、エンコード情報を取得した場合であっても、それをデコードし、分割画像４０１ａ〜４１２ａを出力することができる。したがって、映像機器２０は、画像処理装置１０がエンコード情報を取得した場合であっても、デコーダが不要になる。
【０１５２】
さらに、画像処理装置１０は、ＥＤＩＤ情報に合成可能情報が含まれる場合に、分割画像４０１ａ〜４１２ａを生成するので、４Ｋ合成に対応していない映像機器２０に分割画像４０１ａ〜４１２ａを出力する可能性を抑制することができる。
【０１５３】
さらに、画像処理装置１０は、映像機器２０からＥＤＩＤ情報、すなわち合成開始情報を取得できない場合には、トリガ操作が記述された説明画像６００を分割することで、説明用分割画像６０１〜６１２を生成する。そして、画像処理装置１０は、説明用分割画像６０１〜６１２を含む出力画像を生成し、映像機器２０に出力する。したがって、映像機器２０は、４Ｋ合成に対応している場合には、説明画像６００を復元して表示することができるので、ユーザは、トリガ操作を認識し、トリガ操作を行うことができる。したがって、画像処理装置１０は、トリガ操作の有無にもとづいて、映像機器２０が４Ｋ合成に対応しているか否かを判定することができる。
【０１５４】
さらに、画像処理装置１０は、出力画像４０１〜４１２を映像機器２０に出力する前に、映像機器２０へのＴＭＤＳ信号の出力を停止するので、映像機器２０は、出力画像４０１〜４１２の出力が開始される可能性があることを認識することができる。
【０１５５】
さらに、画像処理装置１０は、ＴＭＤＳ信号の出力を停止した後、出力開始情報を含むＳＰＤ  Ｉｎｆｏｆｒａｍｅを映像機器２０に出力するので、映像機器２０は、出力画像４０１〜４１２の出力が開始されることを容易に認識することができる。
【０１５６】
さらに、画像処理装置１０は、付加制御情報３００を出力画像４０１〜４１２に付与するので、映像機器２０は、出力画像４０１〜４１２の内容を容易に把握することができる。
【０１５７】
さらに、画像処理装置１０は、ブランク画像７００を含む出力画像を生成し、出力画像には、出力画像にブランク画像７００が含まれる旨の付加制御情報３００を含める。したがって、映像機器２０は、出力画像にブランク画像７００が含まれることを容易に把握することができるので、ブランク画像７００を容易に破棄することができる。
【０１５８】
さらに、画像処理装置１０は、映像機器２０が４Ｋ合成に対応していないことを示す説明をブランク画像７００に含める。一方、映像機器２０は、４Ｋ合成に対応していない場合、そもそも付加制御情報３００を読み込むことができないので、ブランク画像７００を表示することとなる。したがって、ユーザは、映像機器２０が４Ｋ合成に対応していないことを容易に把握することができる。
【０１５９】
さらに、画像処理装置１０は、付加制御情報３００に第２付加制御情報３０２を含める。第２付加制御情報３０２は、開始位置及びサイズに関する情報を含む。したがって、映像機器２０は、第２付加制御情報３０２に基づいて、入力画像１００ａ、具体的には４Ｋ元画像１００を容易に復元することができる。
【０１６０】
さらに、画像処理装置１０は、他の機器が情報を重畳する位置と異なる位置に付加制御情報３００を重畳するので、付加制御情報３００が他の機器からの情報により上書きされてしまうことを抑制することができる。
【０１６１】
さらに、映像機器２０は、出力画像４０１〜４１２を取得し、出力画像４０１〜４１２から分割画像、具体的には取込画像５０１〜５１２を抽出する。そして、映像機器２０は、取込画像５０１〜５１２を合成することで、入力画像１００ａを復元する。したがって、映像機器２０は、出力画像４０１〜４１２をデコードしなくても入力画像１００ａを復元することができるので、入力画像１００ａを容易に復元することができる。
【０１６２】
さらに、映像機器２０は、合成可能情報をＥＤＩＤ情報に含めて画像処理装置１０に出力するので、画像処理装置１０は、映像機器２０が４Ｋ合成に対応しているか否かを容易に判断することができる。
【０１６３】
さらに、映像機器２０は、説明用分割画像６０１〜６１２を含む出力画像を受信した場合には、出力画像から説明用分割画像６０１〜６１２を抽出し、説明用分割画像６０１〜６１２を合成することで、説明画像６００を復元する。したがって、映像機器２０は、４Ｋ合成に対応していれば、説明画像６００を表示することができるので、ユーザは、トリガ操作を行うことができる。
【０１６４】
さらに、映像機器２０は、ＴＭＤＳ信号の出力が停止された場合には、当該出力が再開された後に出力されたＳＰＤ  Ｉｎｆｏｆｒａｍｅの内容を確認するので、分割画像４０１ａ〜４１２ａの出力が開始されるか否かを容易に判断することができる。
【０１６５】
さらに、映像機器２０は、付加制御情報に基づく処理を行うので、出力画像に対する処理をより正確に行うことができる。
【０１６６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１６７】
例えば、上記実施形態では、映像機器２０は４Ｋ復元画像５００を表示するものとしたが、本技術はかかる例に限定されない。例えば、映像機器２０は４Ｋ復元画像をさらに他の装置に出力するようにしてもよい。また、出力画像画像の解像度は２Ｋに限られず、４Ｋ元画像及び復元画像の解像度は４Ｋに限られない。
【０１６８】
なお、以下のような構成も本開示の技術的範囲に属する。
（１）
入力画像を分割することで、複数の分割画像を生成し、前記分割画像を含む出力画像を生成する画像処理部と、
前記出力画像を、前記分割画像の合成により前記入力画像を復元可能な他の画像処理装置に出力する通信部と、を備える、画像処理装置。
（２）
前記画像処理部は、前記入力画像がエンコードされたエンコード情報をデコードすることで、前記入力画像を復元する、前記（１）記載の画像処理装置。
（３）
前記画像処理部は、前記他の画像処理装置から前記分割画像の合成に対応可能である旨の合成可能情報を受信した場合に、前記分割画像を生成する、前記（１）または（２）記載の画像処理装置。
（４）
前記画像処理部は、前記他の画像処理装置から前記合成可能情報を取得できない場合には、前記分割画像の生成を開始するために必要なトリガ操作が記述された説明画像を分割することで、説明用分割画像を生成し、前記出力画像に前記説明用分割画像を含める、前記（３）記載の画像処理装置。
（５）
前記通信部は、前記出力画像を前記他の画像処理装置に出力する前に、前記他の画像処理装置への情報の出力を停止する、前記（１）〜（４）のいずれか１項に記載の画像処理装置。
（６）
前記通信部は、前記他の画像処理装置への信号の出力を停止した後、前記出力画像の出力を開始する旨の出力開始情報を前記他の画像処理装置に出力する、前記（５）記載の画像処理装置。
（７）
前記画像処理部は、前記出力画像に関する付加制御情報を前記出力画像に付与する、前記（１）〜（６）のいずれか１項に記載の画像処理装置。
（８）
前記画像処理部は、前記他の画像処理装置による出力対象ではない無効画像を前記出力画像に含める一方、前記出力画像が前記無効画像を含む旨の情報を前記付加制御情報に含める、前記（７）記載の画像処理装置。
（９）
前記画像処理部は、前記他の画像処理装置が前記分割画像の合成に非対応であることを示す情報を前記無効画像に含める、前記（８）記載の画像処理装置。
（１０）
前記画像処理部は、前記入力画像に対応するメモリ領域を確保し、前記メモリ領域に前記入力画像を貼り付けることで、元画像を生成し、前記元画像を分割することで、前記分割画像を生成する一方、前記元画像中の前記入力画像の位置、及び前記入力画像のサイズを示す情報を前記付加制御情報に含める、前記（７）〜（９）のいずれか１項に記載の画像処理装置。
（１１）
前記出力画像は、他の機器による情報の重畳が可能であり、
前記画像処理部は、他の機器が情報を重畳する位置と異なる位置に前記付加制御情報を重畳する、前記（７）〜（１０）のいずれか１項に記載の画像処理装置。
（１２）
入力画像を分割することで、複数の分割画像を生成し、前記分割画像を含み、かつ、第１の解像度を有する出力画像を生成する他の画像処理装置から前記出力画像を取得する通信部と、
前記出力画像から前記分割画像を抽出し、前記分割画像を合成することで前記入力画像を復元する画像処理部と、を備える、画像処理装置。
（１３）
前記通信部は、前記分割画像の合成に対応可能である旨の合成可能情報を前記他の画像処理装置に出力する、前記（１２）記載の画像処理装置。
（１４）
前記他の画像処理装置は、前記分割画像の生成を開始するために必要なトリガ操作が記述された説明画像を分割することで、説明用分割画像を生成し、前記出力画像に前記説明用分割画像を含め、
前記画像処理部は、前記出力画像から前記説明用分割画像を抽出し、前記説明用分割画像を合成することで、前記説明画像を復元する、前記（１２）または（１３）記載の画像処理装置。
（１５）
前記他の情報処理装置は、前記出力画像を前記通信部に出力する前に、前記通信部への情報の出力を停止し、ついで、前記出力画像の出力を開始する旨の出力開始情報を前記通信部に出力し、
前記画像処理部は、前記通信部への情報の出力が停止された場合には、当該停止後に出力された前記出力開始情報の内容を確認する、前記（１２）〜（１４）のいずれか１項に記載の画像処理装置。
（１６）
前記他の画像処理装置は、前記出力画像に関する付加制御情報を前記出力画像に付与し、
前記画像処理部は、前記付加制御情報に基づく処理を行う、前記（１２）〜（１５）のいずれか１項に記載の画像処理装置。
（１７）
入力画像を分割することで、複数の分割画像を生成し、前記分割画像を含む出力画像を生成することと、
前記出力画像を、前記分割画像の合成により前記入力画像を復元可能な他の画像処理装置に出力することと、を含む、画像処理方法。
（１８）
入力画像を分割することで、複数の分割画像を生成し、前記分割画像を含む出力画像を生成する他の画像処理装置から前記出力画像を取得することと、
前記出力画像から前記分割画像を抽出し、前記分割画像を合成することで前記入力画像を復元することと、を含む、画像処理方法。
（１９）
コンピュータに、
入力画像を分割することで、複数の分割画像を生成し、前記分割画像を含む出力画像を生成する画像処理機能と、
前記出力画像を、前記分割画像の合成により前記入力画像を復元可能な他の画像処理装置に出力する通信機能と、を実現させる、プログラム。
（２０）
コンピュータに、
入力画像を分割することで、複数の分割画像を生成し、前記分割画像を含む出力画像を生成する他の画像処理装置から前記出力画像を取得する通信機能と、
前記出力画像から前記分割画像を抽出し、前記分割画像を合成することで前記入力画像を復元する画像処理機能と、を実現させる、プログラム。
【符号の説明】
【０１６９】
１０    画像処理装置
１１    画像取得部
１２    画像処理部
１３    通信部
２０    映像機器
２１    通信部
２２    前処理部
２３    画像処理部
２４    画像取得部
１００    ４Ｋ元画像
１００ａ    入力画像
２００    縮小画像
３００    付加制御情報
３０１    第１付加制御情報
３０２    第２付加制御情報
４０１ａ〜４１２ａ    分割画像
５００    ４Ｋ復元画像
６００    説明画像
６０１〜６１２    説明用分割画像
７００    ブランク画像
【図１】
2014041455.tif 000005
【図２】
2014041455.tif 000006
【図３】
2014041455.tif 000007
【図４】
2014041455.tif 000008
【図５】
2014041455.tif 000009
【図６】
2014041455.tif 000010
【図７】
2014041455.tif 000011
【図８】
2014041455.tif 000012
【図９】
2014041455.tif 000013
【図１０】
2014041455.tif 000014
【図１１】
2014041455.tif 000015
【図１２】
2014041455.tif 000016
【図１３】
2014041455.tif 000017
【図１４】
2014041455.tif 000018
【図１５】
2014041455.tif 000019
【図１６】
2014041455.tif 000020
【図１７】
2014041455.tif 000021
【図１８】
2014041455.tif 000022